(57)【要約】  【課題】引出し式の貯蔵室を備える冷蔵庫であって、貯蔵室の容量が大きなものであっても、使い勝手の良さ、安全性、清潔感を失わない冷蔵庫を提供する。  【解決手段】キャビネットレール４２と、ミドルレール４３、トップレール４４とを有したレール装置４０を備え、容器６３ａを支持し、扉５６に固着された扉フレーム４１を備え、前後に移動可能に容器６３ａを支持する扉フレーム４１をトップレール４４に装着し、傾斜面を有したレール保護部品４６を備えることにより、レール保護部品４６が、トップ４４の貯蔵室側端面の曝露部分を保護することとなり、トップレール４４の端面に手が触れることを防止し、安全性を高めることができ、大容量の貯蔵室を全開可能に支持する場合であっても、貯蔵室の使い勝手の良さ、使用上の安全性、見た目の品位を保持することができる。【選択図】図４
2014098494.tif 000002
【特許請求の範囲】
【請求項１】
内箱と外箱と前記内箱と前記外箱間に充填した発泡断熱材とよりなる前面開口部を有する断熱箱体と、前記断熱箱体内に形成された引出し式の貯蔵室と、前記貯蔵室の前面開口を開閉自在に閉塞する引出扉と、固定レールと移動レールと前記固定レールと前記移動レールとの間に備えられた中間レールとを有し、前記固定レールと前記移動レールと前記中間レールとはそれぞれ回転支持部材で支持され前記固定レールと前記移動レールと前記中間レールとを予め組み込んだ状態で前記固定レールが前記内箱の側壁に固定され、前記貯蔵室内部に備えた容器を前後に移動可能とするレール装置と、を備えた冷蔵庫において、前記移動レールの前記貯蔵室側端面にレール保護部品を備えた冷蔵庫。
【請求項２】
前記レール保護部品は、後方端部に傾斜面を設けた請求項１に記載の冷蔵庫。
【請求項３】
前記傾斜面は、１０度以上４５度以下の角度である請求項２に記載の冷蔵庫。
【請求項４】
前記引出扉は、前記引出扉に固定された扉フレームを備え、前記扉フレームは前記移動レールに固定され、前記レール保護部品は前記扉フレームの前記貯蔵室側端面に固着された請求項１から３のいずれか一項に記載の冷蔵庫。
【請求項５】
前記レール保護部品は、前記移動レールと前記扉フレームとの固定部を保護した請求項１から４のいずれか一項に記載の冷蔵庫。
【請求項６】
前記レール保護部品は、前記扉フレームを塗装するために前記扉フレームに設けられた吊り穴を保護した請求項１から５のいずれか一項に記載の冷蔵庫。
【請求項７】
前記レール保護部品は、樹脂材料を用いて形成された請求項１から６のいずれか一項に記載の冷蔵庫。
【請求項８】
前記レール保護部品は、前記扉フレームと同系色で合わせた請求項１から７のいずれか一項に記載の冷蔵庫。
【請求項９】
前記レール保護部品の上面は、前記扉フレームの上面と略同一高さとした請求項１から８のいずれか一項に記載の冷蔵庫。
【請求項１０】
前記移動レールと前記固定レールと前記中間レールそれぞれの長さは、前記容器が最大引出し位置まで引出された場合に、前記容器の奥端辺が、前記外箱の最前面部より前方に位置させる長さである請求項１から９のいずれか一項に記載の冷蔵庫。
【請求項１１】
前記レール保護部品は、前記扉フレームの上から被せるようにして、前記扉フレームに取り付け固定した請求項４に記載の冷蔵庫。
【請求項１２】
前記レール保護部品は、少なくとも前記レール保護部品の一部を、前記移動レールに接触させた請求項１から１１のいずれか一項に記載の冷蔵庫。
【請求項１３】
前記レール保護部品の内側にリブを設けた請求項１から１２のいずれか一項に記載の冷蔵庫。
【請求項１４】
前記レール保護部品と前記扉フレームとを接合する勘合部を、前記レール保護部品に複数設けた請求項１から１３のいずれか一項に記載の冷蔵庫。
【発明の詳細な説明】
【技術分野】
【０００１】
本発明は、冷蔵庫に関し、特に貯蔵室の引出し構造に関する。
【背景技術】
【０００２】
従来、冷蔵庫は、冷蔵室、冷凍室および野菜室等の複数の貯蔵室を備えている。また、冷凍室および野菜室は、冷却効率および使い勝手等の観点から、一般に冷蔵庫の下段に引出し式の貯蔵室として備えられている。
【０００３】
このような引出し式の貯蔵室の場合、貯蔵室を出し入れする際の円滑性、貯蔵室への食品の出し入れの容易性、および、貯蔵室を形成する容器の着脱の容易性などが求められる。
【０００４】
そこで、引出し式の貯蔵室の使い勝手を向上させる技術も開示されている（例えば、特許文献１参照）。
【０００５】
図１０は、従来の冷蔵庫の側断面を示す図である。
【０００６】
図１０に示すように、従来の冷蔵庫１５１は、断熱箱体１１９内に、上から順に、冷蔵室１２５、温度変更が可能な切換室１２６、切換室１２６に併設された製氷室（図示せず）、野菜室１２７、および冷凍室１２８を貯蔵室として備えている。
【０００７】
断熱箱体１１９は、外箱１２１と内箱１２０と外箱１２１および内箱１２０の間に充填された発泡断熱材１２２とで形成されている。
【０００８】
野菜室１２７を形成する容器１２７ａは、野菜室引出扉１２９に連結された２つのレール装置１３１に支持されている。
【０００９】
また、冷凍室１２８を形成する容器１２８ａは、冷凍室引出扉１３０に連結された２つのレール装置１３１に支持されている。
【００１０】
野菜室１２７および冷凍室１２８は、それぞれこのような構成であることにより、断熱箱体１１９に対して出し入れ可能な引出し式貯蔵室となっている。
【００１１】
具体的には、レール装置１３１は、内箱１２０の内側面の、野菜室１２７および冷凍室１２８のそれぞれの左右にあたる位置に１つずつ取り付けられる。つまり、左右を１組とすると、２組の固定レール１３１ａが内箱１２０の内側面に取り付けられる。
【００１２】
そして、野菜室１２７の容器１２７ａは、２つの移動レール１３１ｂに左右を支持され、野菜室引出扉１２９の前後方向の移動に同期して、移動レール１３１ｂと共に前後に移動する。
【００１３】
さらに、少なくとも野菜室１２７を全開にした時、つまり、野菜室引出扉１２９を最大引出し位置まで引出した時には、容器１２７ａは上方向に容易に着脱できるようになっている。
【００１４】
冷凍室１２８についても同様に、全開にした時には、容器１２８ａは上方向に容易に着脱できるようになっている。
【００１５】
従来の冷蔵庫１５１において、レール装置１３１が以上のような構造を採用することにより、いわゆるガタツキが少なくなり、容器の着脱が容易となるなど、引出し式貯蔵室の使い勝手が向上されている。
【特許文献１】特開２００６−０４６７１０号公報
【発明の開示】
【発明が解決しようとする課題】
【００１６】
ここで、近年、冷蔵庫における野菜室等の引出し式貯蔵室は、消費者のニーズを受け、冷蔵庫内の構成部の配置等を工夫することなどにより、収納可能容量が増加する傾向にある。また、この傾向は今後も続くと考えられる。
【００１７】
さらに、容量が大きくなっても、引出し式貯蔵室への食品等の出し入れの容易性、並びに、引出し式貯蔵室を形成する容器の取り外しおよび取り付けの容易性等を確保する必要がある。
【００１８】
つまり、貯蔵室の引出し距離は、少なくとも、容器に食品を出し入れする時に、冷蔵庫の他の構成部が邪魔にならない長さを確保する必要がある。
【００１９】
そこで、さらに大容量化された貯蔵室の引出し機構として、特許文献１に記載されているような中間レールを用いて、引き出し距離を大きくした場合を想定する。
【００２０】
この場合、引出扉を最大に引出された状態において、移動レールの最奥部（貯蔵室側端面）は外箱の最前面部よりも外側に位置することが多く、移動レールの最奥部（貯蔵室側端面）の曝露部分を保護することが望ましい。
【００２１】
また、引出扉を最大に引き出された状態で、移動レールの最奥部と外箱の最前面部との間に指を置いた場合、その後、引出扉を閉めたときのことを想定すると、移動レールの最奥部（貯蔵室側端面）の曝露部分を保護することが望ましい。
【００２２】
また、引出扉を引出した状態において、レール装置の金属表面が見えることにより、使用者に不安を抱かせるとともに、清潔性においても不信感を持たせることとなり、製品の品位を損なう恐れがある。
【００２３】
本発明は、上記従来の課題を解決するもので、引出し式の貯蔵室を備える冷蔵庫であって、貯蔵室の容量が大きなものであっても、使い勝手の良さ、使用上の安全性、見た目の品位を失わない冷蔵庫を提供することを目的とする。
【課題を解決するための手段】
【００２４】
上記従来の課題を解決するために、本発明の冷蔵庫は、内箱と外箱と前記内箱と前記外箱間に充填した発泡断熱材とよりなる前面開口部を有する断熱箱体と、前記断熱箱体内に形成された引出し式の貯蔵室と、前記貯蔵室の前面開口を開閉自在に閉塞する引出扉と、固定レールと移動レールと前記固定レールと前記移動レールとの間に備えられた中間レールとを有し、前記固定レールと前記移動レールと前記中間レールとはそれぞれ回転支持部材で支持され前記固定レールと前記移動レールと前記中間レールとを予め組み込んだ状態で前記固定レールが前記内箱の側壁に固定され、前記貯蔵室内部に備えた容器を前後に移動可能とするレール装置と、を備えた冷蔵庫において、前記移動レールの前記貯蔵室側端面にレール保護部品を備えたものである。
【００２５】
これによって、大容量の貯蔵室を全開可能に支持する場合であっても、移動レールの貯蔵室側端面を保護できることとなり、貯蔵室の使い勝手の良さ、使用上の安全性、見た目の品位は保持される。
【発明の効果】
【００２６】
本発明は、引出し式の貯蔵室を備える冷蔵庫であって、貯蔵室の容量が大きなものであっても、使い勝手の良さ、使用上の安全性、見た目の品位を失わない冷蔵庫を提供することができる。
【発明を実施するための最良の形態】
【００２７】
請求項１に記載の発明は、内箱と外箱と前記内箱と前記外箱間に充填した発泡断熱材とよりなる前面開口部を有する断熱箱体と、前記断熱箱体内に形成された引出し式の貯蔵室と、前記貯蔵室の前面開口を開閉自在に閉塞する引出扉と、固定レールと移動レールと前記固定レールと前記移動レールとの間に備えられた中間レールとを有し、前記固定レールと前記移動レールと前記中間レールとはそれぞれ回転支持部材で支持され前記固定レールと前記移動レールと前記中間レールとを予め組み込んだ状態で前記固定レールが前記内箱の側壁に固定され、前記貯蔵室内部に備えた容器を前後に移動可能とするレール装置と、を備えた冷蔵庫において、前記移動レールの前記貯蔵室側端面にレール保護部品を備えたことにより、中間レールを採用していることで、移動レールの最奥部（貯蔵室側端面）が、外箱の最前面部よりも外側に位置する場合であっても、移動レールの貯蔵室側端面に取り付けられたレール保護部品が、移動レールの最奥部（貯蔵室側端面）の曝露部分を保護することとなり、移動レールの端面に手が触れることを防止し、安全性を高めることができ、大容量の貯蔵室を全開可能に支持する場合であっても、貯蔵室の使い勝手の良さ、使用上の安全性、見た目の品位を保持することができる。
【００２８】
請求項２に記載の発明は、請求項１に記載の発明において、前記レール保護部品は、後方端部に傾斜面を設けたことにより、引出し量が増大し、レール保護部品の最奥部（貯蔵室側）が外箱の最前面部より外側に位置するところまで引出扉が引出され、レール保護部品の最奥部と外箱の最前面部にできた隙間に指を置いた場合においても、その傾斜面によって、指を傾斜面の外側へ押し出すように逃がすことが可能となり、引出扉を閉めるときの安全性を高めることができる。
【００２９】
請求項３に記載の発明は、請求項２に記載の発明において、前記傾斜面は、１０度以上４５度以下の角度であることにより、傾斜面の傾斜角度が小さすぎると、レール保護部品に設けられる傾斜面の大きさが大きくなることとなり、レール保護部品の大きさ自体も大きくなるため、求められる寸法内に形状がおさまりきらない可能性もあり、また、傾斜面の先端側で形状的な厚みが薄いため、強度確保が困難となる。また、逆に傾斜面の傾斜角度が大きすぎると、レール保護部品の奥側に指を置いた場合に、スムーズに指を傾斜面の外側に押しだすことができない可能性がある。よって、傾斜面の傾斜角度を１０度以上４５度以下の角度にすることにより、レール保護部品を必要以上に大きくする必要もなく、安全性を高めることができる。
【００３０】
請求項４に記載の発明は、請求項１から３のいずれか一項に記載の発明において、前記引出扉は、前記引出扉に固定された扉フレームを備え、前記扉フレームは前記移動レールに固定され、前記レール保護部品は前記扉フレームの前記貯蔵室側端面に固着されたことにより、レール保護部品を扉フレームに固着することが可能となり、製造工程において、扉フレームとレール保護部品とを装着した引出扉を、レール装置に接合することができるため、作業性の向上を図ることができる。
【００３１】
請求項５に記載の発明は、請求項１から４のいずれか一項に記載の発明において、前記レール保護部品は、前記移動レールと前記扉フレームとの固定部を保護したことにより、扉フレームと移動レールとの固定部も覆い隠すことにより、引出扉の開閉時に、固定部に手等が当たることを抑制することとなり、安全性を高めることができる。また、固定部の端面のさびの発生も抑制することができる。
【００３２】
請求項６に記載の発明は、請求項１から５のいずれか一項に記載の発明において、前記レール保護部品は、前記扉フレームを塗装するために前記扉フレームに設けられた吊り穴を保護したことにより、扉フレームの塗装用の吊り穴の周りにできたバリを取る作業を行う必要がなくなる。さらに、塗装用の吊り穴のさびの発生も抑制することができる。
【００３３】
請求項７に記載の発明は、請求項１から６のいずれか一項に記載の発明において、前記レール保護部品は、樹脂材料を用いて形成されたことにより、レール保護部品の形状が複雑であっても成形可能であり、着色も容易であるため塗装をする必要がなく、また、丸みを帯びた形状にすることが可能であるため、指等が接触した場合であっても、接触時の痛さを緩和し、安全性を高めることができる。
【００３４】
請求項８に記載の発明は、請求項１から７のいずれか一項に記載の発明において、前記レール保護部品は、前記扉フレームと同系色で合わせたことにより、レール保護部品を目立たせることなく設置することも可能である。
【００３５】
請求項９に記載の発明は、請求項１から８のいずれか一項に記載の発明において、前記レール保護部品の上面は、前記扉フレームの上面と略同一高さとしたことにより、容器を扉フレームに装着する際に、レール保護部品が容器取り付けの妨げにならず、使い勝手の向上を図ることができる。また、レール保護部品の上面が扉フレームの上面部と略同一高さにあることにより、容器をレール保護部品にも装着することが可能となり、容器の荷重を扉フレームとレール保護部品とにバランス良くかけることができ、結果として、レール装置の耐久性の向上を図ることができる。
【００３６】
請求項１０に記載の発明は、請求項１から９のいずれか一項に記載の発明において、前記移動レールと前記固定レールそれぞれの長さは、前記容器が最大引出し位置まで引出された場合に、前記容器の奥端辺が、前記外箱の最前面部より前方に位置させる長さであることにより、容器の取り出しおよび取り付けの際に、容器が上部の扉に干渉しないため、容器の取り出しおよび取り付けを容易に行うことができる。
【００３７】
請求項１１に記載の発明は、請求項４に記載の発明において、前記レール保護部品は、前記扉フレームの上から被せるようにして、前記扉フレームに取り付け固定したことにより、レール保護部品の取り付け時に容易に取り付けが行えるとともに、容器をレール保護部品の上に固定させた場合等において、レール保護部品の上部から加わる荷重に対して、レール保護部品の強度の確保を比較的容易に行うことができる。
【００３８】
請求項１２に記載の発明は、請求項１から１１のいずれか一項に記載の発明において、前記レール保護部品は、少なくとも前記レール保護部品の一部を、前記移動レールに接触させたことにより、容器をレール保護部品の上に固定させた場合等において、レール保護部品の上部から加わる荷重に対して、剛体である移動レールによって支持することが可能となり、レール保護部品の強度の確保を容易に行うことができる。
【００３９】
請求項１３に記載の発明は、請求項１から１２のいずれか一項に記載の発明において、前記レール保護部品の内側にリブを設けたことにより、レール保護部品自体の変形を抑制できるとともに、リブによって、容器をレール保護部品の上に固定させた場合等において、レール保護部品の上部から加わる荷重に対して、レール保護部品の強度の確保を容易に行うことができる。
【００４０】
請求項１４に記載の発明は、請求項１から１３のいずれか一項に記載の発明において、前記レール保護部品と前記扉フレームとを接合する勘合部を、前記レール保護部品に複数設けたことにより、レール保護部品の取り付け強度が向上するとともに、あらゆる方向から負荷が加わってもレール保護部品が外れにくくなり、レール装置の端面保護を確実に行うことができる。
【００４１】
以下、本発明の冷蔵庫の実施の形態について、図面を参照しながら説明するが、従来例または先に説明した実施の形態と同一構成について同一符号を付して、その詳細な説明は省略する。なお、この実施の形態によってこの発明が限定されるものではない。
【００４２】
（実施の形態１）
図１は、本発明の実施の形態１における冷蔵庫の正面図である。
【００４３】
図１に示すように、冷蔵庫５１は、観音開き式の扉を備える冷蔵庫であり、断熱箱体５２内に複数に区画された貯蔵室を備えている。
【００４４】
具体的には貯蔵室として、上部より、冷蔵室５３、製氷室５４、製氷室５４に併設され室内の温度が変更可能な切換室５５、野菜室５６、および冷凍室５７を備えている。
【００４５】
各貯蔵室の開口部には、例えばウレタンのような発泡断熱材を発泡充填した断熱扉が設けられている。具体的には、冷蔵室５３には断熱箱体５２の開口部を開閉可能に塞ぐ左扉６０ａおよび右扉６０ｂが設けられている。
【００４６】
また、製氷室５４、切換室５５、野菜室５６、および冷凍室５７にはそれぞれ引出し式の引出扉６１、扉６２、扉６３、および扉６４が設けられている。
【００４７】
これら貯蔵室のうち、冷蔵室５３以外の貯蔵室は、引出し式の貯蔵室である。
【００４８】
また、図１に示すように、断熱箱体５２は、ＡＢＳなどの樹脂体を真空成型した内箱７０とプリコート鋼板などの金属材料を用いた外箱７１とで構成された空間に発泡断熱材７２が充填された断熱壁で構成されている。
【００４９】
野菜室５６と冷凍室５７の後側には、冷却器（図示せず）およびファン（図示せず）が設けられており、冷蔵庫５１の本体下部に設置された圧縮機により冷却器が駆動され、冷却器から冷却された空気が各貯蔵室に送られる。また、それぞれの貯蔵室ごとに所定の温度に冷却制御される。
【００５０】
図２は、本発明の実施の形態１における冷蔵庫の野菜室を引出した状態を示す斜視図である。
【００５１】
図２に示すように、野菜室５６は引出し式の貯蔵室であり、野菜室５６を形成する容器６３ａは、レール装置４０により、断熱箱体５２に出し入れ可能に備えられている。
【００５２】
具体的には、容器６３ａは、中間レールであるミドルレール４３を介して冷蔵庫５１の前後方向に移動可能な移動レールであるトップレール４４に接合された扉フレーム４１に、その左右（図２において手前側と奥側）を支持されている。
【００５３】
なお、ミドルレール４３は、固定レールであるキャビネットレール４２（図２に図示しない）に移動可能に支持され、また、トップレール４４はミドルレール４３に移動可能に支持されている。また、キャビネットレール４２は内箱７０の内側面に固定されている。
【００５４】
また、キャビネットレール４２とトップレール４４とミドルレール４３とはそれぞれ回転支持部材（図示せず）で支持され、キャビネットレール４２とトップレール４４とミドルレール４３とを予め組み込んだ状態でキャビネットレール４２が内箱７０の側壁に固定されている。
【００５５】
容器６３ａの左右それぞれを支持する扉フレーム４１は、ビスを用いて引出扉６３に固定連結されている。
【００５６】
また、引出扉６３の最大引出し距離は、容器６３ａが完全に開放する長さである。
【００５７】
つまり、最大引出し距離は、野菜室５６を全開にしたときに、容器６３ａの奥（図２において左側）の端面が外箱７１の最前面部より前方に位置する長さである。
【００５８】
この場合、容器６３ａの奥への食品の収納、および、容器６３ａの奥からの食品の取り出しが容易である。また、容器６３ａの取り出しおよび取り付けの際に、容器６３ａが上部の引出扉６１および引出扉６２に干渉しないことが望ましい。それにより、容器６３ａの取り出しおよび取り付けを容易に行うことができる。
【００５９】
なお、冷凍室５７も、野菜室５６と同様に、最大引出し距離が決定されており、使用者は、冷凍室５７を形成する容器を容易に着脱することができる。
【００６０】
野菜室５６および冷凍室５７は、レール装置４０が伸長することにより、このような位置まで引き出される。
【００６１】
図３は、本発明の実施の形態１における冷蔵庫のレール装置の外観を示す斜視図である。
【００６２】
図３に示すように、トップレール４４は、ミドルレール４３を介してキャビネットレール４２に対して移動する。つまり、レール装置４０全体として伸縮する。
【００６３】
具体的には、野菜室５６の場合、使用者が引出扉６３を引き出すことにより、引出扉６３に連結された左右の扉フレーム４１とトップレール４４とが引出される。
【００６４】
これにより、図２に示すように、トップレール４４に接合された扉フレーム４１に支持されている容器６３ａが断熱箱体５２の外部に引出される。つまり、野菜室５６が全開になる。
【００６５】
また、キャビネットレール４２、ミドルレール４３、およびトップレール４４それぞれの長さは、容器６３ａが最大引出し位置まで引出された場合に、容器６３ａの奥端辺が、外箱の最前面部７１ａより前方に位置させる長さである。
【００６６】
このように、引出し式貯蔵室である野菜室５６が全開可能である本実施の形態の冷蔵庫５１は、レール装置４０が有する種々の技術的特徴により、引出しの円滑性等の使い勝手を失わない。
【００６７】
図４は、本発明の実施の形態１における冷蔵庫の野菜室を引出した状態を示す側面図、図５は、本発明の実施の形態１における冷蔵庫のレール装置の要部側面図、図６は、本発明の実施の形態１における冷蔵庫のレール装置の要部斜視図である。
【００６８】
図４に示すように、野菜室５６を形成する容器６３ａは、レール装置４０により、断熱箱体５２に出し入れ可能に備えられており、野菜室５６は全開に引き出された状態となっている。
【００６９】
これにより、引出扉６３の最大引出し距離は、容器６３ａが完全に開放する長さである。
【００７０】
つまり、最大引出し距離は、野菜室５６を全開にしたときに、容器６３ａの奥の端面が外箱の最前面部７１ａより前方に位置する長さである。
【００７１】
この場合、容器６３ａの奥への食品の収納、および、容器６３ａの奥からの食品の取り出しが容易である。また、容器６３ａの取り出しおよび取り付けの際に、容器６３ａが上部の引出扉６１および引出扉６２に干渉しないことが望ましい。それにより、容器６３ａの取り出しおよび取り付けを容易に行うことができる。
【００７２】
なお、冷凍室５７も、野菜室５６と同様に、最大引出し距離が決定されており、使用者は、冷凍室５７を形成する容器を容易に着脱することができる。
【００７３】
ここで、引出扉６３を最大に引出した状態の場合、トップレール４４の貯蔵室側端面である最奥部が外箱７１の最前面部７１ａよりも手前に位置することになり、トップレール４４の奥側の端面が断熱箱体５２の外に剥き出しの状態になるので、移動レールの最奥部（貯蔵室側端面）の曝露部分を保護することが望ましい。
【００７４】
また、金属材料で成形された扉フレーム４１の貯蔵室側端面である最奥部も外箱の最前面部７１ａよりも手前に位置することになり、扉フレーム４１の最奥部の端面と外箱の最前面部７１ａとの間に生じた隙に、指を置いた状態で引出扉６３を閉じるときのことを想定すると、移動レールの最奥部（貯蔵室側端面）の曝露部分を保護することが望ましい。
【００７５】
よって、安全性を高めるために、トップレール４４の貯蔵室側端面にレール保護部品４６を装着している。
【００７６】
これにより、トップレール４４の貯蔵室側端面を隠すことにより、安全性を高めることができる。また、扉フレーム４１の貯蔵室側端面と外箱の最前面部７１ａとの間に生じた隙を無くすことができ、安全性を高めることができる。
【００７７】
しかしながら、レール保護部品４６によって、扉フレーム４１の貯蔵室側端面と外箱の最前面部７１ａとによって生じた隙を完全に無くすことが不可能な場合がある。
【００７８】
図５や図６に示すように、近年の貯蔵室の収納量増加の傾向により、扉フレーム４１に取り付けられたレール保護部品４６の貯蔵室側端面が、外箱の最前面部７１ａより外側に位置するところまで引出し量が増大する場合がある。
【００７９】
この場合、レール装置４０が固定される内箱７０の奥行き寸法に限界があるため、レール保護部品４６の奥行き長さも伸ばすことができない。つまり、レール保護部品４６の奥行き長さが伸ばせられないため、引出扉６３を最大に引出された状態において、レール保護部品４６の最奥部と外箱の最前面部７１ａとの間に隙間ができることになる。その隙に指を置いた状態で、引出扉６３を閉めると、その間で指を挟む可能性がある。
【００８０】
レール保護部品４６の貯蔵室側端面と外箱の最前面部７１ａとの間に生じた隙によって指を挟むことを抑制するために、レール保護部品４６の奥側に、上向きの傾斜面と外向きの傾斜面とを合わせた形状からなる傾斜面４６ａを設けている。
【００８１】
これにより、レール保護部品４６の最奥部と外箱７１の最前面部７１ａとの間に生じた隙に指を置いたとしても、レール保護部品の傾斜面４６ａは、上向きの傾斜面と外向きの傾斜面とを合わせた形状をしており、レール保護部品４６の最奥部と外箱の最前面部７１ａとの間に生じた隙から、傾斜面に沿うように、指を外側へ押し出すように逃がすことが可能となり、引出扉６３を閉めるときの安全性を高めることができる。
【００８２】
なお、この傾斜面４６ａの角度は、１０度以上４５度以下の角度であることが好ましい。
【００８３】
具体的には、１０度未満であると、レール保護部品４６に設けられる傾斜面４６ａの大きさが大きくなることにより、レール保護部品４６の大きさ自体も大きくなるため、求められる寸法内に形状が治まりきらない可能性もあり、また、傾斜面の先端側で形状的な厚みが薄いため、レール保護部品４６の強度確保が困難となる。
【００８４】
また、具体的には、４５度を超えると、レール保護部品の奥側に指を置いた場合に、スムーズに指を傾斜面４６ａの外側に押し逃がさすことができない可能性がある。
【００８５】
よって、傾斜面を１０度以上４５度以下の角度にすることにより、レール保護部品を必要以上に大きくする必要もなく、安全性を高めることができる。
【００８６】
また、この傾斜面４６ａは、上向きの傾斜面と外向きの傾斜面とを合わせた形状にしている。仮に、上向きの傾斜面のみの場合、傾斜面４６ａに置かれた指が、引出扉６３を閉じた際に、レール保護部品上を滑り、レール保護部品の上部に置かれたケースに接触する可能性がある。そこで、外向きの傾斜面を合わせることにより、傾斜面４６ａに置かれた指が、引出扉６３を閉じた際に、レール保護部品上を滑り、上部に持ち上げられると同時に、外側に押し出すように逃がすことが可能となり、より安全性を確保することができる。
【００８７】
また、扉フレーム４１はトップレール４４に固定され、レール保護部品４６は扉フレーム４１の貯蔵室側端面に固着されている。扉フレーム４１に設けられた穴に、レール保護部品４６に設けた扉フレーム取り付け形状４６ｂを挿入することにより、レール保護部品４６は扉フレーム４１に固定される。レール保護部品４６を扉フレーム４１に固着することが可能となることにより、製造工程において、扉フレーム４１とレール保護部品４６とを装着した引出扉６３を、レール装置４０に接合することができるため、作業性の向上を図ることができる。
【００８８】
また、扉フレーム４１とレール保護部品４６とを装着した引出扉６３をレール装置４０に接合するときは、トップレール４４に設けられた引っ掛け形状に、扉フレーム４１を差込んだ後、扉フレーム４１とトップレール４４とをビスを用いて固定する。このとき、トップレール４４と扉フレーム４１の固定部は引っ掛け形状にしているため、引出扉６３を開閉する際に、その引っ掛け形状に手等が当たる可能性がある。また、引っ掛け形状を用いずとも、扉フレーム４１とトップレール４４の固定部は表面から出っ張る形状になってしまうため、指等が扉開閉時に当たる可能性がある。
【００８９】
レール保護部品４６は、トップレール４４の貯蔵室側端面を保護するとともに、扉フレーム４１とトップレール４４との固定部も覆い隠すことにより、引出扉６３の開閉時に、扉フレーム４１とトップレール４４との固定部に手等が当たることを抑制した。
【００９０】
さらに、レール保護部品４６は、扉フレーム４１の先端部近傍に設けられた塗装用の吊り穴（図示せず）も同時に覆い隠す形状とした。一般的には、扉フレーム４１は金属材料が用いられ、また、冷蔵庫の見た目の品位、清潔感等の向上のため塗装されている。この塗装時に扉フレーム４１を吊るすための穴（図示せず）が必要となる。この塗装用の吊り穴に、棒等を通して吊り下げ塗装作業がなされる。ただ、塗装時には、この穴の中には吊り用の棒が通されているため、その穴内には塗料が付着せず、さらに吊り穴の周りには塗料によってできたバリが発生する。
【００９１】
レール保護部品４６によって、扉フレーム４１の塗装用の吊り穴を覆い隠すことにより、扉フレーム４１の塗装用の吊り穴の周りにできたバリを取る作業をする必要がなくなる。
【００９２】
また、塗料の付着していない扉フレーム４１の塗装用吊り穴は、材料の素材が露出しており錆び易くなるが、扉フレーム４１の塗装用の吊り穴を覆い隠したことにより、錆の発生を抑制することができる。
【００９３】
また、冷凍室内に設置されたレール装置４０に触れると、冷凍温度帯に冷やされたレール装置４０が指に含んだ水分を瞬間的に凍結させ、指がレール装置４０にくっついてしまう可能性もあり、さらに、剥き出しにされたレール装置４０に水分等が付着する等により、錆が発生する可能性もある。レール保護部品４６を取り付けることにより、これらの問題の発生を抑制することができる。
【００９４】
また、レール保護部品４６は、扉フレームの上面４１ａと略同一高さで、レール保護部品の上面４６ｃを設けたことにより、容器６３ａを扉フレーム４１に装着する際に、レール保護部品４６が容器６３ａの取り付けの妨げにならず、使い勝手の向上を図ることができる。
【００９５】
さらに、レール保護部品４６の上面４６ｃが、扉フレーム４１の上面４１ａと略同一高さの位置にあることにより、図４に示すように、容器６３ａをレール保護部品４６にも取り付けすることが可能となり、容器６３ａの荷重を扉フレーム４１とレール保護部品４６とにバランス良くかけることができ、結果として、レール装置４０の耐久性の向上を図ることができる。
【００９６】
また、レール保護部品４６に容器６３ａを取り付けることが可能となることにより、扉フレーム４１とレール保護部品４６の奥行き長さの関係を最適なバランスに変えることができる。例えば、樹脂材料によって成形されたレール保護部品４６は、金属材料によって成形された扉フレーム４１に比べ強度は劣るが、レール装置４０が金属材料であるため、扉フレーム４１の長さを短くしても十分な強度が得られる場合、樹脂材料によって成形されたレール保護部品４６の奥行き長さを長くし、逆に、金属材料によって成形された扉フレーム４１の奥行き長さを短くすることで、冷蔵庫の重量の低減を図ることができる。すなわち、扉フレーム４１とレール保護部品４６との長さの選定の自由度が高まめることができる。
【００９７】
また、レール保護部品４６の材料を樹脂材料としている。これにより、レール保護部品４６の形状が複雑であっても成形可能であり、着色も容易であるため塗装をする必要がない。さらに、レール保護部品４６は、丸みを帯びた形状にすることも可能であり、また、材料自体に弾力性があるため、レール保護部品４６に指等が接触した場合であっても、接触時の痛さを緩和することもできる。
【００９８】
また、レール保護部品４６と扉フレーム４１は同系色に合わせることにする。これにより、レール保護部品４６を目立たせることなく設置することができる。また、冷蔵庫内は、清潔感を印象として与えるため、主に白色を使用しているが、このため、扉フレーム４１を白色に塗装したものを用いるのが主流である。扉フレーム４１が白色であり、容器６３ａも主に白色が使用されているため、本実施の形態では、レール保護部品４６も白色にすることが望ましい。よって、レール保護部品４６は、一般的に入手し易いポリプロピレン樹脂を用いることにより、樹脂色自体が白色系であるので、あえてレール保護部品４６は着色せずとも使用することができる。
【００９９】
以上より、ミドルレール４３を採用していることで、トップレール４４の最奥部（貯蔵室側端面）が、外箱７１の最前面部７１ａよりも外側に位置する場合であっても、トップレール４４の貯蔵室側端面に取り付けられたレール保護部品４６が、トップレール４４の最奥部（貯蔵室側端面）の曝露部分を保護することとなり、トップレール４４の端面に手が触れることを防止し、安全性を高めることができ、大容量の貯蔵室を全開可能に支持する場合であっても、貯蔵室の使い勝手の良さ、使用上の安全性、見た目の品位を保持することができる。
【０１００】
次に、レール保護部品の内部構造、取り付け方等について、詳細に説明する。
【０１０１】
図１１は、本発明の実施の形態１における冷蔵庫のレール装置のレール保護部品と扉フレームとの取り付け状態を示す断面図、図１２は、本発明の実施の形態１における冷蔵庫のレール装置のレール保護部品を背面から見た斜視図である。
【０１０２】
図１１に示すように、レール保護部品４６は、扉フレーム４１の上から被せるようにして、扉フレーム４１に取り付け固定している。すなわち、荷重が加わる方向とレール保護部品の取り付け方向とを同一方向としている。これにより、レール保護部品４６の取り付け時に容易に取り付けが行えるとともに、容器６３ａをレール保護部品４６の上に固定させた場合等において、レール保護部品４６の上部から加わる荷重に対して、レール保護部品４６の強度の確保を比較的容易に行うことができる。
【０１０３】
また、図１１、図１２に示すように、レール保護部品４６は、少なくともレール保護部品４６の一部を、移動レール４４に接触させている（図１１の点線Ａ部、図１２の点線Ａ部参照）。これにより、容器４６ａをレール保護部品４６の上に固定させた場合等において、レール保護部品４６の上部から加わる荷重に対して、剛体である移動レール４４によって支持することが可能となり、レール保護部品４６の強度の確保を容易に行うことができる。
【０１０４】
より具体的には、次に述べる、リブ３００、３０１、３０５、３０６の下面を移動レール４４の上面に接触させている。
【０１０５】
また、図１１、図１２に示すように、レール保護部品４６の内側にリブを設けている。より具体的には、レール保護部品４６の内側において、長手方向（冷蔵庫の奥行き方向）に平行に、前方（傾斜部の先端）から順に、レール保護部品４６と一体に成形されたリブ３０５、３０６、３０７を設けている。また、レール保護部品４６の内側において、前方部分には、長手方向（冷蔵庫の奥行き方向）と垂直方向に、前方（傾斜部の先端）から順に、所定の間隔を置いて、レール保護部品４６と一体に成形されたリブ３００、３０１を設けており、また、後方部分には、長手方向（冷蔵庫の奥行き方向）と垂直方向に、前方（傾斜部の先端）から順に、所定の間隔を置いて、レール保護部品４６と一体に成形されたリブ３０２、３０３、３０４を、設けている。これにより、レール保護部品４６自体の変形を抑制できるとともに、リブによって、容器６３ａをレール保護部品４６の上に固定させた場合等において、レール保護部品４６の上部から加わる荷重に対して、レール保護部品４６の強度の確保を容易に行うことができる。
【０１０６】
すなわち、特に、レール保護部品４６長手方向（冷蔵庫の奥行き方向）と垂直方向に設けたリブ３００、３０１、３０２、３０３、３０４は、レール保護部品４６の側面３３０を外側に開きにくくするために側面を繋ぎ合わせるものであって、レール保護部品４６の上部から加わる荷重に対して、レール保護部品４６の強度の確保を容易に行うことができ、レール保護部品４６が外れにくくなり、レール装置の端面保護を確実に行うことができる。つまり、樹脂材料によって成形されたレール保護部品４６は、金属材料で成形された扉フレームと比較して強度は劣るが、レール保護部品４６の内側にリブを設けることで、その強度の低下を補うことができる。
【０１０７】
また、図１１に示すように、レール保護部品４６と扉フレーム４１とを接合する勘合部を、レール保護部品４６に複数（具体的には二箇所）設けている。具体的には、レール保護部品４６の後端近傍に勘合部３１０、３２０を設け、扉フレーム４１において勘合部３１０、３２０にそれぞれ対応する位置に、勘合穴をそれぞれ設けている。これにより、勘合部３１０、３２０とそれぞれ対応する位置に設けた勘合穴とをそれぞれ勘合させることで、レール保護部品４６の取り付け強度が向上するとともに、左右方向や上下方向や斜め方向から負荷が加わってもレール保護部品４６が外れにくくなり、レール装置の端面保護を確実に行うことができる。
【０１０８】
なお、本実施の形態では、レール保護部品４６は、内部は空間を有した構造（すなわち、リブにより線接触になっている）のものであるが、内部の少なくとも一部は、空間を有しない構造（すなわち、樹脂が充填され面接触になっている）としてもよい。
【０１０９】
（実施の形態２）
図７は、本発明の実施の形態２における冷蔵庫のレール装置の概要を示す断面図である。
【０１１０】
実施の形態２におけるレール装置は、実施の形態１におけるレール装置と比較すると、レール装置の構成が異なる。具体的には、図７に示すように、本実施の形態のレール装置は、例えば図３で示したような三段に上下に重ねられたレール装置４０とは異なり、レール装置は、横並びに三列に並べられた３つのレールを有したものである。ここでは、実施の形態１と異なる点を中心に説明する。
【０１１１】
図７に示すように、具体的には、レール装置２００は、板状体の上下辺に内方向に延出する鍔部２０１ａを設けた固定レール２０１と、容器（図示せず）を支持する支持枠（図示せず）の外側に支え金具２０６を介して固定した固定レール２０１の高さ寸法より幅狭でその上下辺から外方向に鍔部２０２ａを延出させた移動レール２０２と、これら内外のレール２０１、２０２の間に設けられて固定レール２０１より小さく移動レール２０２より大きい高さ寸法を有し、その上下辺から内方向に鍔部２０３ａを設けた中間レール２０３と、から構成されている。
【０１１２】
ここで、固定レール２０１は、本発明の冷蔵庫における固定レールである。
【０１１３】
また、移動レール２０２は、本発明の冷蔵庫における移動レールである。
【０１１４】
また、中間レール２０３は、本発明の冷蔵庫における中間レールである。
【０１１５】
具体的には、中間レール２０３が固定レール２０１に対して移動可能であり、かつ、移動レール２０２が中間レール２０３に対して移動可能であることにより、全体として伸縮可能である。
【０１１６】
図８は、本発明の実施の形態２における冷蔵庫の他のレール装置の概要を示す断面図である。
【０１１７】
実施の形態２における他のレール装置は、実施の形態１におけるレール装置と比較すると、レール装置の構成が異なる。具体的には、図８に示すように、本実施の形態の他のレール装置は、例えば図３で示したような三段に上下に重ねられたレール装置４０とは異なり、レール装置は、横並びに三列に並べられた３つのレールを有したものである。ここでは、実施の形態１と異なる点を中心に説明する。
【０１１８】
図８に示すように、具体的には、レール装置２１０は、断面形状がＨ形状をした中間レール２１３が、断面形状がコの字状をした固定レール２１１に対して移動可能であり、かつ、断面形状がコの字状をした移動レール２１２が中間レール２１３に対して移動可能であることにより、全体として伸縮可能である。
【０１１９】
ここで、固定レール２１１は、本発明の冷蔵庫における固定レールである。
【０１２０】
また、移動レール２１２は、本発明の冷蔵庫における移動レールである。
【０１２１】
また、中間レール２１３は、本発明の冷蔵庫における中間レールである。
【０１２２】
なお、図８では、摺動部材であるベアリングは省略している。
【０１２３】
図７や図８に示すように、レール装置の形状は様々ものが存在するが、引出し式の貯蔵室と、貯蔵室の前面に位置する引出し扉を備える冷蔵庫であって、長手方向が同一になるように配置された、長尺状の、固定レールと移動レールと中間レールとを有し、貯蔵室を形成する容器を前後に移動可能に支持するレール装置を備えた冷蔵庫において、レール保護部品４６を備えることにより、移動レールの貯蔵室側端面に取り付けられたレール保護部品が、移動レールの最奥部（貯蔵室側端面）の曝露部分を保護することとなり、移動レールの端面に手が触れることを防止し、安全性を高めることができ、大容量の貯蔵室を全開可能に支持する場合であっても、貯蔵室の使い勝手の良さ、使用上の安全性、見た目の品位を保持することができる。
【０１２４】
また、レール保護部品４６は、後方端部に傾斜面４６ａを設けたことにより、引出し量が増大し、レール保護部品の最奥部が外箱の最前面部より外側に位置するところまで引出扉が引出され、レール保護部品の最奥部と外箱の最前面部にできた隙間に指を置いた場合においても、その傾斜面によって、指を外へ押し出すように逃がすことが可能となり、引出扉を閉めるときの安全性を高めることができる。
【０１２５】
（実施の形態３）
図９は、本発明の実施の形態３におけるレール装置の取り付け方法を示す斜視図である。
【０１２６】
冷蔵庫の扉は、扉外板（図示せず）と扉内板７５との間に充填された発泡断熱材とで形成されている。扉内板７５に取り付けられたレール固定部品７４にレール装置４０を結合する。また、扉内板７５にレール固定部品７４のような形状を設け、扉内板７５とレール固定部品とを一体部品として扉内板７５としても良い。
【０１２７】
本実施の形態では、実施の形態１で示した扉フレーム４１は用いずに、レール装置４０は固定される。レール装置４０を容器６３ａによって覆うことにより、レール装置の端面保護の形状を設けることは可能であるが、冷蔵庫内の奥行き寸法の都合により、容器６３ａだけではレール装置４０の端面保護が困難な場合がある。また、容器６３ａによってレール装置４０の奥側の端面を保護すると、容器６３ａの奥端辺が、貯蔵室の直上部の扉の前面より前方に位置させることが困難となり、容器６３ａの取り出しおよび取り付けの際に、容器６３ａが上部の扉６１に干渉し、容器６３ａの取り出し性を悪化させることになる。
【０１２８】
また、容器６３ａを清掃のために取り外しを行っても、容器６３ａの有無に関わらず、レール装置の安全を確保することができる。
【０１２９】
よって、扉フレーム４１を用いない場合であっても、レール保護部品４６を装着することによって、レールの端面保護を行い、冷蔵庫の引出扉の安全性を確保することができる。
【０１３０】
このように、レール保護部品を装着させることで、使い勝手のよい引出し式の貯蔵室を実現するレール装置を提供することができる。
【０１３１】
また、各実施の形態における各種のレール装置は、野菜室５６および冷凍室５７のみならず、引出し式の貯蔵室である、製氷室５４および切換室５５における引出し機構として用いることもできる。
【産業上の利用可能性】
【０１３２】
以上のように、本発明にかかる引出し式の貯蔵室を備える冷蔵庫であって、貯蔵室の容量が大きなものであっても、使い勝手の良さ、安全性、清潔感を失わない冷蔵庫を提供することが可能となり、家庭用および業務用など様々な種類および大きさの冷蔵庫等に適用できる。
【図面の簡単な説明】
【０１３３】
【図１】本発明の実施の形態１における冷蔵庫の正面図
【図２】本発明の実施の形態１における冷蔵庫の野菜室を引出した状態を示す斜視図
【図３】本発明の実施の形態１における冷蔵庫のレール装置の外観を示す斜視図
【図４】本発明の実施の形態１における冷蔵庫の野菜室を引出した状態を示す側面図
【図５】本発明の実施の形態１における冷蔵庫のレール装置の要部側面図
【図６】本発明の実施の形態１における冷蔵庫のレール装置の要部斜視図
【図７】本発明の実施の形態２における冷蔵庫のレール装置の概要を示す断面図
【図８】本発明の実施の形態２における冷蔵庫の他のレール装置の概要を示す断面図
【図９】本発明の実施の形態３におけるレール装置の取り付け方法を示す斜視図
【図１０】従来の冷蔵庫の側断面図
【図１１】本発明の実施の形態１における冷蔵庫のレール装置のレール保護部品と扉フレームとの取り付け状態を示す断面図
【図１２】本発明の実施の形態１における冷蔵庫のレール装置のレール保護部品を背面から見た斜視図
【符号の説明】
【０１３４】
４０    レール装置
４１    扉フレーム
４１ａ  扉フレームの上面
４２    キャビネットレール（固定レール）
４３    ミドルレール（中間レール）
４４    トップレール（移動レール）
４６    レール保護部品
４６ａ  傾斜面
４６ｂ  扉フレーム取り付け形状
４６ｃ  レール保護部品の上面
５１    冷蔵庫
５２    断熱箱体
５３    冷蔵室
５４    製氷室
５５    切換室
５６    野菜室（貯蔵室）
５７    冷凍室（貯蔵室）
６０ａ  左扉
６０ｂ  右扉
６１、６２、６３、６４  引出扉
６３ａ  容器
７０    内箱
７１    外箱
７１ａ  外箱の最前面部
７２    発泡断熱材
７４    レール固定部品
７５    扉内板
２００、２１０  レール装置
２０１  固定レール
２０２  移動レール
２０３  中間レール
２１１  固定レール
２１２  移動レール
２１３  中間レール
３００、３０１、３０２、３０３、３０４、３０５、３０６、３０７  リブ
３１０、３２０  勘合部
【図１】
2014098494.tif 000003
【図２】
2014098494.tif 000004
【図３】
2014098494.tif 000005
【図４】
2014098494.tif 000006
【図５】
2014098494.tif 000007
【図６】
2014098494.tif 000008
【図７】
2014098494.tif 000009
【図８】
2014098494.tif 000010
【図９】
2014098494.tif 000011
【図１０】
2014098494.tif 000012
【図１１】
2014098494.tif 000013
【図１２】
2014098494.tif 000014
【手続補正書】
【提出日】平成21年5月21日(2009.5.21)
【手続補正１】
【補正対象書類名】特許請求の範囲
【補正対象項目名】全文
【補正方法】変更
【補正の内容】
【特許請求の範囲】
【請求項１】
内箱と外箱と前記内箱と前記外箱間に充填した発泡断熱材とよりなる前面開口部を有する断熱箱体と、前記断熱箱体内に形成された引出し式の貯蔵室と、前記貯蔵室の前面開口を開閉自在に閉塞する引出扉と、固定レールと移動レールと前記固定レールと前記移動レールとの間に備えられた中間レールとを有し、前記固定レールと前記移動レールと前記中間レールとはそれぞれ回転支持部材で支持され前記固定レールと前記移動レールと前記中間レールとを予め組み込んだ状態で前記固定レールが前記内箱の側壁に固定され、前記貯蔵室内部に備えた容器を前後に移動可能とするレール装置と、前記移動レールの前記貯蔵室側にレール保護部品と、を備え、前記レール保護部品の内側に荷重を受ける前記移動レールとの接触部を設けた冷蔵庫。
【請求項２】
前記レール保護部品は、後方端部に傾斜面を設けた請求項１に記載の冷蔵庫。
【請求項３】
前記傾斜面は、１０度以上４５度以下の角度である請求項２に記載の冷蔵庫。
【請求項４】
前記引出扉は、前記引出扉に固定された扉フレームを備え、前記扉フレームは前記移動レールに固定され、前記レール保護部品は前記扉フレームの前記貯蔵室側端面に固着された請求項１から３のいずれか一項に記載の冷蔵庫。
【請求項５】
前記レール保護部品は、前記移動レールと前記扉フレームとの固定部を保護した請求項１から４のいずれか一項に記載の冷蔵庫。
【請求項６】
前記レール保護部品は、前記扉フレームを塗装するために前記扉フレームに設けられた吊り穴を保護した請求項１から５のいずれか一項に記載の冷蔵庫。
【請求項７】
前記レール保護部品は、樹脂材料を用いて形成された請求項１から６のいずれか一項に記載の冷蔵庫。
【請求項８】
前記レール保護部品は、前記扉フレームと同系色で合わせた請求項１から７のいずれか
一項に記載の冷蔵庫。
【請求項９】
前記レール保護部品の上面は、前記扉フレームの上面と略同一高さとした請求項１から８のいずれか一項に記載の冷蔵庫。
【請求項１０】
前記移動レールと前記固定レールと前記中間レールそれぞれの長さは、前記容器が最大引出し位置まで引出された場合に、前記容器の奥端辺が、前記外箱の最前面部より前方に位置させる長さである請求項１から９のいずれか一項に記載の冷蔵庫。
【請求項１１】
前記レール保護部品は、前記扉フレームの上から被せるようにして、前記扉フレームに取り付け固定した請求項４に記載の冷蔵庫。
【請求項１２】
前記レール保護部品は、少なくとも前記レール保護部品の一部を、前記移動レールに接触させた請求項１から１１のいずれか一項に記載の冷蔵庫。
【請求項１３】
前記レール保護部品と前記扉フレームとを接合する勘合部を、前記レール保護部品に複数設けた請求項１から１２のいずれか一項に記載の冷蔵庫。
【請求項１４】
前記レール保護部品は、上面と側面とからなる請求項１に記載の冷蔵庫。
【請求項１５】
前記レール保護部品の内側に前記上面と前記側面とを繋ぐリブを設け、前記接触部は前記リブの下面とした請求項１４に記載の冷蔵庫。
【手続補正２】
【補正対象書類名】明細書
【補正対象項目名】００２４
【補正方法】変更
【補正の内容】
【００２４】
上記従来の課題を解決するために、本発明の冷蔵庫は、内箱と外箱と前記内箱と前記外箱間に充填した発泡断熱材とよりなる前面開口部を有する断熱箱体と、前記断熱箱体内に形成された引出し式の貯蔵室と、前記貯蔵室の前面開口を開閉自在に閉塞する引出扉と、固定レールと移動レールと前記固定レールと前記移動レールとの間に備えられた中間レールとを有し、前記固定レールと前記移動レールと前記中間レールとはそれぞれ回転支持部材で支持され前記固定レールと前記移動レールと前記中間レールとを予め組み込んだ状態で前記固定レールが前記内箱の側壁に固定され、前記貯蔵室内部に備えた容器を前後に移動可能とするレール装置と、前記移動レールの前記貯蔵室側にレール保護部品と、を備え、前記レール保護部品の内側に荷重を受ける前記移動レールとの接触部を設けたものである。
【手続補正３】
【補正対象書類名】明細書
【補正対象項目名】００２５
【補正方法】変更
【補正の内容】
【００２５】
これによって、大容量の貯蔵室を全開可能に支持する場合であっても、移動レールの貯蔵室側端面を保護できることとなり、貯蔵室の使い勝手の良さ、使用上の安全性、見た目の品位は保持される。
また、レール保護部品自体の変形を抑制できるとともに、容器をレール保護部品の上に固定させた場合等において、レール保護部品の上部から加わる荷重に対して、レール保護部品の強度の確保を容易に行うことができる。
【手続補正４】
【補正対象書類名】明細書
【補正対象項目名】００２７
【補正方法】変更
【補正の内容】
【００２７】
請求項１に記載の発明は、内箱と外箱と前記内箱と前記外箱間に充填した発泡断熱材とよりなる前面開口部を有する断熱箱体と、前記断熱箱体内に形成された引出し式の貯蔵室と、前記貯蔵室の前面開口を開閉自在に閉塞する引出扉と、固定レールと移動レールと前記固定レールと前記移動レールとの間に備えられた中間レールとを有し、前記固定レールと前記移動レールと前記中間レールとはそれぞれ回転支持部材で支持され前記固定レールと前記移動レールと前記中間レールとを予め組み込んだ状態で前記固定レールが前記内箱の側壁に固定され、前記貯蔵室内部に備えた容器を前後に移動可能とするレール装置と、前記移動レールの前記貯蔵室側にレール保護部品と、を備え、前記レール保護部品の内側に荷重を受ける前記移動レールとの接触部を設けたことにより、中間レールを採用していることで、移動レールの最奥部（貯蔵室側端面）が、外箱の最前面部よりも外側に位置する場合であっても、移動レールの貯蔵室側端面に取り付けられたレール保護部品が、移動レールの最奥部（貯蔵室側端面）の曝露部分を保護することとなり、移動レールの端面に手が触れることを防止し、安全性を高めることができ、大容量の貯蔵室を全開可能に支持する場合であっても、貯蔵室の使い勝手の良さ、使用上の安全性、見た目の品位を保持することができる。
また、レール保護部品自体の変形を抑制できるとともに、容器をレール保護部品の上に固定させた場合等において、レール保護部品の上部から加わる荷重に対して、レール保護部品の強度の確保を容易に行うことができる。
【手続補正５】
【補正対象書類名】明細書
【補正対象項目名】００３９
【補正方法】削除
【補正の内容】
【手続補正６】
【補正対象書類名】明細書
【補正対象項目名】００４０
【補正方法】変更
【補正の内容】
【００４０】
請求項１３に記載の発明は、請求項１から１２のいずれか一項に記載の発明において、前記レール保護部品と前記扉フレームとを接合する勘合部を、前記レール保護部品に複数設けたことにより、レール保護部品の取り付け強度が向上するとともに、あらゆる方向から負荷が加わってもレール保護部品が外れにくくなり、レール装置の端面保護を確実に行うことができる。
請求項１４に記載の発明は、請求項１に記載の発明において、前記レール保護部品は、上面と側面とからなるものである。
請求項１５に記載の発明は、請求項１４に記載の発明において、前記レール保護部品の内側に前記上面と前記側面とを繋ぐリブを設け、前記接触部は前記リブの下面としたものである。
【手続補正７】
【補正対象書類名】明細書
【補正対象項目名】０１０３
【補正方法】変更
【補正の内容】
【０１０３】
また、図１１、図１２に示すように、レール保護部品４６は、少なくともレール保護部品４６の一部を、移動レール４４に接触させている（図１１の点線Ａ部、図１２の点線Ａ部参照）。これにより、容器６３ａをレール保護部品４６の上に固定させた場合等において、レール保護部品４６の上部から加わる荷重に対して、剛体である移動レール４４によって支持することが可能となり、レール保護部品４６の強度の確保を容易に行うことができる。